(57)【特許請求の範囲】
【請求項１】
情報デバイスを利用して、初期的に遠隔サーバの保護領域に格納された１つ以上のデータアイテムを、該１つ以上のデータアイテムの位置を表すアクセス識別子に依存して、該遠隔サーバの保護領域から、該保護領域の外側に位置する遠隔保持領域を介してローカルデバイスに転送する方法であって、
該アクセス識別子は、ユーザが該情報デバイスを利用して選択した１以上のデータアイテムの位置を表す、該ローカルデバイスが該遠隔保持領域から該１以上のデータアイテムを取得する際に必要となるアクセス識別子であり、
該方法は、
該情報デバイスと該遠隔サーバの保護領域との間に信頼できる接続を形成するステップと、
該情報デバイスおよび該信頼できる接続を利用して、該遠隔サーバの保護領域に格納されている１つ以上のデータアイテムの第１のグループを選択するステップと、
該第１のグループのデータアイテムを、該遠隔サーバの保護領域から、該保護領域の外側に位置する遠隔保持領域に転送し、該アクセス識別子を該第１のグループのデータアイテムと関連付けるステップと、
該アクセス識別子を該遠隔サーバから該情報デバイスに伝えるステップと、
該情報デバイスにおいて、伝えられた該アクセス識別子の音声／映像表現を提示するステップと、
該ローカルデバイスにおいて該音声／映像表現を取り込むステップと、
該取り込まれた音声／映像表現から該１つ以上のデータアイテムの位置を決定するステップと、
該１つ以上のデータアイテムを該決定された位置から該ローカルデバイスに転送するステップとを包含し、
該１つ以上のデータアイテムを該決定された位置から該ローカルデバイスに転送するステップは、
該アクセス識別子に依存して、前記ローカルデバイスと該保持領域との間に取り出し接続を形成するステップと、
１つ以上のデータアイテムの第２のグループを、該保持領域に転送された該第１のグループのデータアイテムから決定するステップと、
該第２のグループのデータアイテムを、該取り出し接続を介して、該保持サーバの保持領域から該ローカルデバイスに転送するステップと
を含む方法。
【請求項２】
前記音声／映像表現はグラフィック表現を含む、請求項１に記載の方法。
【請求項３】
前記情報デバイスにおいて、アクセス識別子の音声／映像表現を提示するステップは、前記グラフィック表現を該デバイスのディスプレイ上に表示するステップを含む、請求項２に記載の方法。
【請求項４】
前記グラフィック表現は、人間の眼にとって可視である、請求項２に記載の方法。
【請求項５】
前記グラフィック表現は色を含む、請求項２に記載の方法。
【請求項６】
前記グラフィック表現はバーコード表現を含む、請求項２に記載の方法。
【請求項７】
前記グラフィック表現は二次元バーコード表現を含む、請求項６に記載の方法。
【請求項８】
前記二次元バーコード表現は、クイックレスポンスコード表現である、請求項７に記載の方法。
【請求項９】
前記二次元バーコード表現は、ヒューコード表現である、請求項７に記載の方法。
【請求項１０】
前記ローカルデバイスにおいて音声／映像表現を取り込むステップは、バーコードスキャナを用いて前記バーコード表現をスキャンするステップを含む、請求項６に記載の方法。
【請求項１１】
前記音声／映像表現はテキスト表現を含む、請求項２に記載の方法。
【請求項１２】
前記位置を決定するステップは、光学式文字認識アルゴリズムを用いて、前記テキスト表現をデコードするステップを含む、請求項１１に記載の方法。
【請求項１３】
前記音声／映像表現はグラフィック表現のシーケンスを含む、請求項２に記載の方法。
【請求項１４】
前記シーケンス内の前記グラフィック表現は所定の間隔で提示される、請求項１３に記載の方法。
【請求項１５】
前記シーケンス内の連続するグラフィック表現の間の間隔は、前記アクセス識別子についてのさらなる情報をエンコードするために、該シーケンスを通じて変動する、請求項１３に記載の方法。
【請求項１６】
前記シーケンスにおける各グラフィック表現が均一の色である、請求項１３に記載の方法。
【請求項１７】
前記音声／映像表現は音声シーケンスを含む、請求項１に記載の方法。
【請求項１８】
前記音声シーケンスは、トーン、和音、パルス、またはクリックのシーケンスを含む、請求項１７に記載の方法。
【請求項１９】
前記取り込むステップと、決定するステップと、転送するステップのうちの少なくとも２つが、互いに通信する別個のデバイスによって行われ、別個のデバイスがともに前記ローカルデバイスを形成する、請求項１に記載の方法。
【請求項２０】
前記遠隔サーバから前記情報デバイスに伝えられた前記アクセス識別子は、該遠隔サーバで音声／映像表現にエンコードされているものである、請求項１に記載の方法。
【請求項２１】
前記アクセス識別子は、前記保持領域の位置を表す位置識別子を含む、請求項１に記載の方法。
【請求項２２】
前記位置識別子自体が、前記保持領域の位置を識別するために十分な情報を含む、請求項２１に記載の方法。
【請求項２３】
前記位置識別子に依存して、前記保持領域の位置を参照するステップをさらに包含する、請求項２１に記載の方法。
【請求項２４】
前記アクセス識別子は、保持サーバの位置を識別することなく、前記保持領域内の１つ以上のデータアイテムを識別するグループ識別子を含む、請求項１に記載の方法。
【請求項２５】
情報デバイスを利用して、初期的に遠隔サーバの保護領域に格納された１つ以上のデータアイテムを、該１つ以上のデータアイテムの位置を表すアクセス識別子に依存して、該遠隔サーバの保護領域から、該遠隔サーバの保護領域の外側に位置する遠隔保持領域を介してローカルデバイスに転送する方法であって、
該アクセス識別子は、ユーザが該情報デバイスを利用して選択した１以上のデータアイテムの位置を表す、該ローカルデバイスが該遠隔保持領域から該１以上のデータアイテムを取得する際に必要となるアクセス識別子であり、
該方法は、
前記情報デバイスと該遠隔サーバの保護領域との間に信頼できる接続を形成するステップと、
該情報デバイスおよび該信頼できる接続を利用して、該遠隔サーバの保護領域に格納されている１つ以上のデータアイテムの第１のグループを選択するステップと、
該第１のグループのデータアイテムを、該遠隔サーバの保護領域から、該保護領域の外側に位置する遠隔保持領域に転送し、前記アクセス識別子を該第１のグループのデータアイテムと関連付けるステップと、
該アクセス識別子を該遠隔サーバから該情報デバイスに伝えるステップと、
該情報デバイスにおいて、伝えられた該アクセス識別子の音声／映像表現を提示するステップと、
該ローカルデバイスにおいて該音声／映像表現を取り込むステップと、
該取り込まれた音声／映像表現から該１つ以上のデータアイテムの位置を決定するステップと、
該１つ以上のデータアイテムを該決定された位置から該ローカルデバイスに転送するステップとを包含し、
該１つ以上のデータアイテムを該決定された位置から該ローカルデバイスに転送するステップは、
該アクセス識別子に依存して、前記ローカルデバイスと該保持領域との間に取り出し接続を形成するステップと、
１つ以上のデータアイテムの第２のグループを、該保持領域に転送された該第１のグループのデータアイテムから決定するステップであって、該第２のグループのデータアイテムは、該保持領域に転送された該第１のグループのデータアイテムを識別するグループ識別子に依存して決定される、ステップと、
該第２のグループのデータアイテムを、該取り出し接続を介して、該保持領域から該ローカルデバイスに転送するステップと
を包含する、方法。
【請求項２６】
前記第２のグループのデータアイテムは、前記第１のグループのデータアイテムと同じになるように決定される、請求項２５に記載の方法。
【請求項２７】
前記ローカルデバイスは、一般的なインターネットブラウジング能力を用いて、前記保持領域内のデータアイテムにアクセスする、請求項１に記載の方法。
【請求項２８】
データアイテムを前記ローカルデバイスに転送する前に処理するステップをさらに包含する、請求項１に記載の方法。
【請求項２９】
行われる前記処理するステップは前記ローカルデバイスのタイプに依存する、請求項２８に記載の方法。
【請求項３０】
行われる前記処理するステップは前記ローカルデバイスの位置に依存する、請求項２８に記載の方法。
【請求項３１】
前記ローカルデバイスは出力デバイスを含む、請求項１に記載の方法。
【請求項３２】
前記ローカルデバイスがプリンタを含む方法であって、該プリンタ上で、前記ローカルデバイスに転送された前記少なくとも１つのデータアイテムの一部または全てを印刷するステップをさらに包含する、請求項３１に記載の方法。
【請求項３３】
前記ローカルデバイスがディスプレイを含む方法であって、該ディスプレイ上で、前記ローカルデバイスに転送された前記少なくとも１つのデータアイテムの一部または全てを表示するステップをさらに包含する、請求項３１に記載の方法。
【請求項３４】
前記少なくとも１つのデータアイテムは電子メールアイテムである、請求項１に記載の方法。
【請求項３５】
前記少なくとも１つのデータアイテムはドキュメントである、請求項１に記載の方法。
【請求項３６】
前記ローカルデバイスがプリンタを含む方法であって、該プリンタ上で前記電子メールアイテムを印刷するステップをさらに包含する、請求項３４に記載の方法。
【請求項３７】
前記情報デバイスはモバイル情報デバイスである、請求項１に記載の方法。
【請求項３８】
前記情報デバイスは個人用情報端末である、請求項３７に記載の方法。
【請求項３９】
前記情報デバイスは携帯電話である、請求項１に記載の方法。
【請求項４０】
前記情報デバイスから加入者アイデンティティモジュール番号または他のオペレータ識別子をリクエストすることによって該情報デバイスを認証するステップをさらに包含する、請求項１に記載の方法。
【請求項４１】
前記情報デバイスはラップトップコンピュータである、請求項３７に記載の方法。
【請求項４２】
前記情報デバイスはデジタルＴＶである、請求項１に記載の方法。
【請求項４３】
前記情報デバイスはパーソナルコンピュータである、請求項１に記載の方法。
【請求項４４】
前記ローカルデバイスはモバイル情報デバイスである、請求項１に記載の方法。
【請求項４５】
前記ローカルデバイスは、一般の人々によってアクセス可能なパブリック器具である、請求項１に記載の方法。
【請求項４６】
前記アクセス識別子はユニフォームリソースロケータを含む、請求項１に記載の方法。
【請求項４７】
前記情報デバイスは、ローカルデバイスの近傍にある、請求項１に記載の方法。
【請求項４８】
前記ローカルデバイスにおいて受け取られた前記１つ以上のデータアイテムを別個のデバイスに転送するステップをさらに包含する、請求項１に記載の方法。
【請求項４９】
前記別個のデバイスは前記情報デバイスである、請求項４８に記載の方法。
【請求項５０】
前記ローカルデバイスは、前記別個のデバイスへのデータアイテムの高速取り出しのためのアクセスポイントとして用いられる、請求項４８に記載の方法。
【請求項５１】
前記１つ以上のデータアイテムを転送する前に前記情報デバイスを認証するステップをさらに包含する、請求項１に記載の方法。
【請求項５２】
前記アクセス識別子は、前記情報デバイスの認証を行うために必要な認証情報を含む、請求項５１に記載の方法。
【発明の詳細な説明】
【技術分野】
【０００１】
本発明は、遠隔アクセスシステムおよび方法、具体的には、データアイテムを遠隔サーバまたは保持領域とローカルデバイスとの間で転送する遠隔アクセスシステムおよび方法に関する。
【背景技術】
【０００２】
労働者がオフィスから離れた場所からでも企業のドキュメントおよび電子メールにアクセスすることが必要になることがますます一般的になっており、様々な製品およびシステムがこのような移動する労働者の需要に見合うように開発されてきた。最も人気があるものは、バーチャルプライベートネットワーク（ＶＰＮ）であり、ＶＰＮソリューションは、コンピュータ、例えば、デスクトップおよびラップトップコンピュータ（ＰＣ）と、モバイルデバイス、例えば、個人用情報端末（ＰＤＡ）および携帯電話との両方について利用可能である。
【０００３】
しかし、ＶＰＮは、デバイスの画面上の秘密の企業情報とのインタラクションを可能にするが、周りの周辺機器への簡便なアクセスを常に与えるわけではない。例えば、移動する労働者は、利用可能な（公開の）プリンタを、自分のモバイルデバイスに物理的に取り付け、ドライバをインストールしない限り、用いることができない。同様に、スキャナ、モニタ、プロジェクタ、および他の周辺機器は、秘密の企業情報と安全にインタラクトするように、アドホックで、かつワイヤレスに用いることができない。これは、特に、ラップトップコンピュータを持ち運ぶことが実用的ではない移動する労働者にとって当てはまる。なぜなら、モバイルデバイスはＶＰＮをサポートするように開発されているが、これらのデバイスは、描画能力、ドライバ、およびローカルな周辺機器への接続を可能にする物理的接続性を有さないからである。
【０００４】
同様に、ＭｉｃｒｏｓｏｆｔとＩＢＭのＬｏｔｕｓ部門との両方が、ユーザが携帯電話で電子メールをブラウズすることを可能にする製品を生産しているが、ユーザが、ローカルのプリンタから電子メールを印刷したり、快適に読むために、利用可能な大画面上に電子メールを表示する方法はない。これは、特に、電子メールが一般的なモバイルデバイスの小さい画面では満足に見ることができない添付物（ワードプロセッサドキュメント、プレゼンテーション、スプレッドシート、グラフィックス）を含む場合に問題となる。
【０００５】
上記のような周辺機器は、広く利用可能になってきている。例えば、日本のＬａｗｓｏｎ、およびＳｅｖｅｎ  Ｅｌｅｖｅｎなどのコンビニエンスストアはすでにカウンターの背後にプリンタを用意しているが、現在では、主に、写真の印刷に用いられている。
【０００６】
本発明者らの同時継続出願である、英国出願第０３０９０４５．３号は、企業のサーバが描画されたドキュメントをローカルプリンタにモバイルデバイスを通じて向けることを可能にするシステムを記載する。しかし、このシステムでは、描画されたドキュメントの全部ではないにしろ大部分が、費用がかかり、遅い可能性が高いネットワークを介して転送されることが必要である。このシステムはまた、モバイルデバイスがまだ標準的でない能力を有する必要がある。
【０００７】
図１は、ＵＳ−６，１４４，９９７（「Ｓｙｓｔｅｍ  ａｎｄ  ｍｅｔｈｏｄ  ｆｏｒ  ａｃｃｅｓｓｉｎｇ  ａｎｄ  ｄｉｓｔｒｉｂｕｔｉｎｇ  ｅｌｅｃｔｒｏｎｉｃ  ｄｏｃｕｍｅｎｔｓ」）、ＵＳ−６，３９７，６２１（「Ｓｅｃｕｒｅ  ｔｏｋｅｎ−ｂａｓｅｄ  ｄｏｃｕｍｅｎｔ  ｓｅｒｖｅｒ」）ＵＳ−６，４３０，６０１（「Ｍｏｂｉｌｅ  Ｄｏｃｕｍｅｎｔ  Ｐａｇｉｎｇ  Ｓｅｒｖｉｃｅ」）、およびＵＳ−６，４８７，１８９（「Ｍｏｂｉｌｅ  Ｅ−ｍａｉｌ  Ｄｏｃｕｍｅｎｔ  Ｔｒａｎｓａｃｔｉｏｎ  Ｓｅｒｖｉｃｅ」）に開示されている遠隔アクセスシステムを示すブロック図である。このシステムは、本明細書中、Ｓａｔｃｈｅｌシステムと呼ばれ、ドキュメントサーバ４とワイヤレス通信を行うモバイルデバイス２と、インターネットイネーブル器具６とを含む。このシステムは、ワイヤレスモバイルデバイス２が、ドキュメントサーバ４から取り出されるべきドキュメントを指定するドキュメントトークン、例えば、ＵＲＬ（ユニフォームリソースロケータ）を格納し、器具６がドキュメントトークンによって指定されるドキュメントをドキュメントサーバ４から取り出し得るように、ワイヤレスにインターネットイネーブル器具６に転送することを可能にする。このシステムは、ドキュメント自体ではなくドキュメントトークンの転送によってある人から他の人への配信を可能にする。
【０００８】
図２は、ＰｒｉｎｔＭｅシステム（詳細についてはｗｗｗ．ｐｒｉｎｔｍｅ．ｃｏｍを参照されたい）を示すブロック図である。システムは、ワールドワイドウェブ８内に位置し、ワールドワイドウェブ８を介してアクセス可能であるＰｒｉｎｔＭｅサービス１０と、例えば、ファイヤーウォールなどのバリア１４によって保護されているローカルエリアネットワーク（ＬＡＮ）のようなプライベートスペース１２内に位置するパーソナルコンピュータ１６と、ＰｒｉｎｔＭｅプリンタ１８とを含む。
【０００９】
ＰｒｉｎｔＭｅシステムは、以下のように動作する。パーソナルコンピュータ１６上に位置するドキュメントを印刷することを望むモバイルユーザは、そのドキュメントをパーソナルコンピュータ１６からＰｒｉｎｔＭｅサービス１０に予めアップロードし、通常は、印刷の前のドキュメントの描写についてはＰｒｉｎｔＭｅサービスに依存する。ユーザは、複数のＰｒｉｎｔＭｅプリンタ１８のうちのいずれが、ドキュメントをＰｒｉｎｔＭｅサービス１０にアップロードするときに、そのドキュメントを印刷するのかを指定することができる。したがって、全てのＰｒｉｎｔＭｅサービス１０は、独自の識別子を必要とする。また、ユーザがアップロードしたドキュメントと関連付けられたＰｒｉｎｔＭｅサービス１０によってコードが生成されることも可能である。したがって、ユーザは、ドキュメントを取り出し、そのプリンタにおいて印刷するために、コードを選択されたプリンタに直接入力することができる。
【００１０】
Ｘｅｒｏｘ（登録商標）製のｍＤｏｃ製品は、モバイルドキュメントアクセスをＰｒｉｎｔＭｅシステムと統合し得る。ｍＤｏｃ製品は、プリンタに送るために、モバイルデバイス上でドキュメントを選択すること、および遠隔プリンタの識別子をモバイルデバイスに入力することによってドキュメントが印刷されることを可能にし、これを達成するためにＰｒｉｎｔＭｅサービスを用いる。ドキュメントは、直ちに指定されたプリンタに送られる。
【００１１】
ＵＳ−Ａ−２００２／０００４４０４は、ユーザがメッセージを、携帯電話ネットワークディスプレイまたはプリンタに送るシステムを記載している。このメッセージは、ユーザが機器に表示または印刷させたいいくつかのコンテンツのＵＲＬを含む。器具は、このコンテンツを取り出し、描画する。
【００１２】
本発明者らの同時係属出願中の英国特許出願第０３１４４１０．２号は、モバイルデバイスの制御下での遠隔サーバから（公開）ローカルデバイスへのドキュメントの転送を可能にする遠隔アクセス方法を開示する。転送の方法は、モバイルデバイスの画面上に表示され、ユーザによってローカルデバイスにタイプされるか、または、ローカルワイヤレス接続（例えば、赤外線、Ｂｌｕｅｔｏｏｔｈ（登録商標）、または無線ＬＡＮ）によってモバイルデバイスからローカルデバイスに転送されるアクセス識別子を生成するステップを含む。その後、ローカルデバイスはドキュメントを取り出すためにアクセス識別子を用いることができる。
【特許文献１】米国特許第６，１４４，９９７号明細書
【特許文献２】米国特許第６，３９７，６２１号明細書
【特許文献３】米国特許第６，４３０，６０１号明細書
【特許文献４】米国特許第６，４８７，１８９号明細書
【特許文献５】米国特許出願公開第２００２／０００４４０４号明細書
【発明の開示】
【発明が解決しようとする課題】
【００１３】
上記の方法の全ては、以下に述べる欠点のうち１つまたは２つを有する。ユーザが、ローカルデバイスまたはモバイルデバイスのいずれかに情報を入力することが不必要に要求されるか、モバイルデバイスが、現行の世代の携帯電話においては容易に利用可能でない通信メカニズムを必要とするかのいずれかである。
【００１４】
最初の欠点に関して、同時係属出願第０３１４４１０．２号に記載のある実施形態において、アクセス識別子は手によってローカルデバイスに入力され、これは、かなりのタイピングを含み得る。ｍＤｏｃのシナリオにおいて、ユーザは、プリンタの識別子を、プリンタのまん前に位置するにもかかわらず、プリンタのモバイルデバイスに入力することを不必要に要求される。
【００１５】
二番目の欠点に関して、一部の携帯電話はローカルネットワーク能力を有するにもかかわらず（赤外線、Ｂｌｕｅｔｏｏｔｈ）、従来の電話は、電話のウェブブラウザ（一般的には、ドキュメントが選択されることを可能にするアプリケーションを表示するために用いられる）内からアクセス可能である能力を有さない。一部の電話においては、ローカルワイヤレスネットワークを介する通信を可能にするアプリケーションがインストールされることが可能であり得る（例えば、ＳｙｍｂａｎまたはＭｉｃｒｏｓｏｆｔのＳｍａｒｔｐｈｏｎｅオペレーティングシステムに基づく電話であり得る）。しかし、これは、ユーザまたは電話の小売業者が電話のソフトウェアを改良しておくという予め行われるステップを行うことを必要とする。それにもかかわらず、多くの電話は、ローカルネットワーク化能力がすぐにたちあがる。
【００１６】
これらの欠点は、モバイルデバイスからローカルな周辺機器を利用可能にするために探されてきた以前に考えられてきた方法は、全て、ドキュメント転送を開始するために必要とされる不必要に余分なステップを行うことを必要とする、ユーザにとって手間がかかりすぎるか、あるいは、（かなりのハードウェアおよび／またはソフトウェア改造を電話に加えることなしには）従来技術の世代の携帯電話上で配置されることができないことを意味する。
【課題を解決するための手段】
【００１７】
本発明の第１の局面の実施形態は、情報デバイスを利用して、初期的に遠隔サーバの保護領域に格納された１つ以上のデータアイテムを、該遠隔サーバの保護領域から、該保護領域の外側に位置する遠隔保持領域を介してローカルデバイスに転送する方法を提供する。該アクセス識別子は、ユーザが該情報デバイスを利用して選択した１以上のデータアイテムの位置を表す、該ローカルデバイスが該遠隔保持領域から該１以上のデータアイテムを取得する際に必要となるアクセス識別子である。上記転送の際には、該情報デバイスと該遠隔サーバの保護領域との間に信頼できる接続が形成される。該情報デバイスおよび該信頼できる接続を利用して、該遠隔サーバの保護領域に格納されている１つ以上のデータアイテムの第１のグループが選択される。該第１のグループのデータアイテムが、該遠隔サーバの保護領域から、該保護領域の外側に位置する遠隔保持領域に転送され、該アクセス識別子が該第１のグループのデータアイテムと関連付けられる。転送は、該１つ以上のデータアイテムの位置を表すアクセス識別子に依存して行われる。アクセス識別子が該遠隔サーバから該情報デバイスに伝えられる。伝えられた該アクセス識別子の音声／映像表現は、該情報デバイスにおいて提示される。該音声／映像表現は、該ローカルデバイスにおいて取り込まれる。該１つ以上のデータアイテムの位置は、該取り込まれた音声／映像表現から決定される。該１つ以上のデータアイテムは、該決定された位置から該ローカルデバイスに転送される。該１つ以上のデータアイテムが、該決定された位置から該ローカルデバイスに転送される際、該アクセス識別子に依存して、前記ローカルデバイスと該保持領域との間に取り出し接続が形成される。１つ以上のデータアイテムの第２のグループが、該保持領域に転送された該第１のグループのデータアイテムから決定される。該第２のグループのデータアイテムが、該取り出し接続を介して、該保持サーバの保持領域から該ローカルデバイスに転送される。
【００１８】
前記音声／映像表現はグラフィック表現を含んでもよい。前記情報デバイスにおいて、アクセス識別子の音声／映像表現を提示するステップは、前記グラフィック表現を該デバイスのディスプレイ上に表示するステップを含んでもよい。前記グラフィック表現は、人間の眼にとって可視であってもよい。前記グラフィック表現は色を含んでもよい。
【００１９】
前記グラフィック表現はバーコード表現を含んでもよい。前記グラフィック表現は二次元バーコード表現を含んでもよい。前記二次元バーコード表現は、クイックレスポンスコード表現であってもよい。前記二次元バーコード表現は、ヒューコード表現であってもよい。前記ローカルデバイスにおいて音声／映像表現を取り込むステップは、バーコードスキャナを用いて前記バーコード表現をスキャンするステップを含んでもよい。
【００２０】
前記音声／映像表現はテキスト表現を含んでもよい。前記位置を決定するステップは、光学式文字認識アルゴリズムを用いて、前記テキスト表現をデコードするステップを含んでもよい。
【００２１】
前記音声／映像表現はグラフィック表現のシーケンスを含んでもよい。前記シーケンス内の前記グラフィック表現は所定の間隔で提示されてもよい。前記シーケンス内の連続するグラフィック表現の間の間隔は、前記アクセス識別子についてのさらなる情報をエンコードするために、該シーケンスを通じて変動してもよい。前記シーケンスにおける各グラフィック表現が均一の色であってもよい。
【００２２】
前記音声／映像表現は音声シーケンスを含んでもよい。前記音声シーケンスは、トーン、和音、パルス、またはクリックのシーケンスを含んでもよい。
【００２３】
前記取り込むステップと、決定するステップと、転送するステップのうちの少なくとも２つが、互いに通信する別個のデバイスによって行われてもよく、別個のデバイスがともに前記ローカルデバイスを形成する。
【００２４】
前記遠隔サーバから前記情報デバイスに伝えられた前記アクセス識別子は、該遠隔サーバで音声／映像表現にエンコードされていてもよい。
【００２６】
前記アクセス識別子は、前記保持領域の位置を表す位置識別子を含んでもよい。前記位置識別子自体が、前記保持領域の位置を識別するために十分な情報を含んでもよい。この方法は、前記位置識別子に依存して、前記保持領域の位置を参照するステップをさらに包含してもよい。
【００２７】
前記アクセス識別子は、保持サーバの位置を識別することなく、前記保持領域内の１つ以上のデータアイテムを識別するグループ識別子を含んでもよい。
情報デバイスを利用して、初期的に遠隔サーバの保護領域に格納された１つ以上のデータアイテムを、該１つ以上のデータアイテムの位置を表すアクセス識別子に依存して、該遠隔サーバの保護領域から、該遠隔サーバの保護領域の外側に位置する遠隔保持領域を介してローカルデバイスに転送する。該アクセス識別子は、ユーザが該情報デバイスを利用して選択した１以上のデータアイテムの位置を表す、該ローカルデバイスが該遠隔保持領域から該１以上のデータアイテムを取得する際に必要となるアクセス識別子である。この方法は、前記情報デバイスと該遠隔サーバの保護領域との間に信頼できる接続を形成するステップと、該情報デバイスおよび該信頼できる接続を利用して、該遠隔サーバの保護領域に格納されている１つ以上のデータアイテムの第１のグループを選択するステップと、該第１のグループのデータアイテムを、該遠隔サーバの保護領域から、該保護領域の外側に位置する遠隔保持領域に転送し、前記アクセス識別子を該第１のグループのデータアイテムと関連付けるステップと、アクセス識別子を該遠隔サーバから該情報デバイスに伝えるステップと、該情報デバイスにおいて、伝えられた該アクセス識別子の音声／映像表現を提示するステップと、該ローカルデバイスにおいて該音声／映像表現を取り込むステップと、該取り込まれた音声／映像表現から該１つ以上のデータアイテムの位置を決定するステップと、該１つ以上のデータアイテムを該決定された位置から該ローカルデバイスに転送するステップとを包含する。該１つ以上のデータアイテムを該決定された位置から該ローカルデバイスに転送するステップは、該アクセス識別子に依存して、前記ローカルデバイスと該保持領域との間に取り出し接続を形成するステップと、１つ以上のデータアイテムの第２のグループを、該保持領域に転送された該第１のグループのデータアイテムから決定するステップであって、該第２のグループのデータアイテムは、該保持領域に転送された該第１のグループのデータアイテムを識別するグループ識別子に依存して決定される、ステップと、該第２のグループのデータアイテムを、該取り出し接続を介して、該保持領域から該ローカルデバイスに転送するステップとを包含してもよい。
前記第２のグループのデータアイテムは、前記第１のグループのデータアイテムと同じになるように決定されてもよい。前記ローカルデバイスは、一般的なインターネットブラウジング能力を用いて、前記保持領域内のデータアイテムにアクセスしてもよい。この方法は、データアイテムを前記ローカルデバイスに転送する前に処理するステップをさらに包含してもよい。行われる前記処理するステップは前記ローカルデバイスのタイプに依存してもよい。行われる前記処理するステップは前記ローカルデバイスの位置に依存してもよい。
【００３０】
前記ローカルデバイスは出力デバイスを含んでもよい。前記ローカルデバイスがプリンタを含んでもよく、この方法は、該プリンタ上で、前記ローカルデバイスに転送された前記少なくとも１つのデータアイテムの一部または全てを印刷するステップをさらに包含してもよい。前記ローカルデバイスがディスプレイを含んでもよく、この方法は、該ディスプレイ上で、前記ローカルデバイスに転送された前記少なくとも１つのデータアイテムの一部または全てを表示するステップをさらに包含してもよい。
【００３１】
前記少なくとも１つのデータアイテムは電子メールアイテムであってもよい。前記少なくとも１つのデータアイテムはドキュメントであってもよい。この方法は、プリンタの場合は、該プリンタ上で前記電子メールアイテムを印刷するステップを包含してもよい。
【００３２】
前記情報デバイスはモバイル情報デバイスであってもよい。前記情報デバイスは個人用情報端末であってもよい。前記情報デバイスは携帯電話であってもよい。この方法は、前記情報デバイスから加入者アイデンティティモジュール番号または他のオペレータ識別子をリクエストすることによって該情報デバイスを認証するステップをさらに包含してもよい。前記情報デバイスはラップトップコンピュータであってもよい。前記情報デバイスはデジタルＴＶ、またはパーソナルコンピュータであってもよい。前記ローカルデバイスはまた、上述したいずれかのタイプのモバイル情報デバイスであってもよい。
【００３３】
前記ローカルデバイスは、一般の人々によってアクセス可能なパブリック器具であってもよい。前記アクセス識別子はユニフォームリソースロケータを含んでもよい。
【００３４】
前記情報デバイスは、ローカルデバイスの近傍にあってもよく、これは、ローカルデバイスのサービスへと、アクセスが認められる前の必要条件であり得る。
【００３５】
この方法は、前記ローカルデバイスにおいて受け取られた前記１つ以上のデータアイテムを別個のデバイスに転送するステップをさらに包含してもよく、前記別個のデバイスは前記情報デバイスであってもよい。前記ローカルデバイスは、前記別個のデバイスへのデータアイテムの高速取り出しのためのアクセスポイントとして用いられてもよい。
【００３６】
この方法は、前記１つ以上のデータアイテムを転送する前に前記情報デバイスを認証するステップをさらに包含してもよい。前記アクセス識別子は、前記情報デバイスの認証を行うために必要な認証情報を含んでもよい。
【発明を実施するための最良の形態】
【００４３】
図３は、本発明の第１の実施形態による、遠隔取り出しシステムを示すブロック図である。遠隔取り出しシステムは、情報デバイス２０と、遠隔サーバ２８と、ローカルデバイス４６とを含む。情報デバイス２０は、接続部２２と、選択部２４と、アクセス識別子エンコード部２３と、音声／映像（ＡＶ）提示部２５とを含む。この実施形態において、ＡＶ提示部２５はディスプレイ２５である。遠隔サーバ２８は、データアイテム保持格納部３２と、アクセス識別子部３４と、接続部３５とを含む。ローカルデバイス４６は、接続部４８と、取り出し部５２と、ＡＶ取り込み部４９と、ＡＶデコード部５１とを含む。この実施形態において、ＡＶ取り込み部４９はスキャナ４９である。
【００４４】
遠隔サーバ２８のデータアイテム保持格納部３２に格納されている１つ以上のデータアイテムを、ローカルデバイス４６への転送のために、取り出す方法を、図４のフローチャートを参照しながら以下に説明する。
【００４５】
情報デバイス２０の接続部２２は、接続リクエストを送信することによって、遠隔サーバ２８への接続を開始しようと試みる。遠隔サーバの接続部３５は、接続リクエストを受信し、接続は、続いて、情報デバイス２０と遠隔サーバ２８との間で形成される（ステップＳ１）。その後、情報デバイス２０のユーザは、情報デバイス２０および接続を利用して、遠隔サーバ２８のデータアイテム保持格納部３２に格納されている１つ以上のデータアイテムを選択する（ステップＳ２）。この実施形態における選択プロセスは、情報デバイス２０の選択部２４によって制御される。
【００４６】
遠隔サーバ２８の位置は、位置識別子によって表され、ステップＳ２において選択された第１のグループのデータアイテムは、グループ識別子によって識別される。この実施形態において、位置およびグループ識別子を含む単一アクセス識別子は、遠隔サーバ２８のアクセス識別子部３４によって生成され、情報デバイス２０に伝えられる（ステップＳ３）。アクセス識別子は、データアイテムが、ローカルデバイス４６によって遠隔サーバ２８のデータアイテム保持格納部３２から取り出されることを可能にする。
【００４７】
その後、情報デバイス２０に伝えられたアクセス識別子は、アクセス識別子エンコード部２３によって、音声／映像（ＡＶ）表現にエンコードされる（ステップＳ４）。音声／映像（ＡＶ）表現は、この実施形態において、２Ｄバーコード表現の形態である。その後、２Ｄバーコード表現は、情報デバイス２０のディスプレイ２５に提示（表示）される（ステップＳ５）。その後、情報デバイス２０は、バーコード表現がローカルデバイス４６のスキャナ４９にとって可視となるように、ローカルデバイス４６へと持ち上げられ、バーコード表現がスキャナ４９によってスキャンされる（ステップＳ６）。バーコード表現、ＡＶデコード部５１によってデコードされて（ステップＳ７）、ステップＳ２において選択されたデータアイテムにアクセスするために用いられ得る形態でアクセス識別子が生成される。
【００４８】
ローカルデバイス４６の接続部４８によって遠隔サーバ２８とローカルデバイス４６との間に取り出し接続が形成され（ステップＳ８）、アクセス識別子によって表されるデータアイテムは、ローカルデバイス４６の取り出し部５２の制御の下で、遠隔サーバ２８からローカルデバイス４６へと取り出し接続を介して転送される（ステップＳ９）。
【００４９】
上記の実施形態において、アクセス識別子は、情報デバイス２０において、音声／映像（ＡＶ）表現にエンコードされる。エンコード化はアクセス識別子が情報デバイス２０に到達する前に、例えば、遠隔サーバ２８において行われ得ることが理解される。この場合は、情報デバイス２０はローカルデバイス４６による取り込みのために音声／映像（ＡＶ）表現を提示するに過ぎない。
【００５０】
情報デバイス２０からローカルデバイス４６にアクセス識別子を転送するためにバーコード表現を用いることは、特に、有益であり、遠隔サーバ２８のデータアイテム保持格納部３２などの遠隔保持領域からのデータアイテムの取り出しのタスクを大幅に簡略化する。さらに、バーコードを用いる方法は、必要なものは画面のみであるので、現行の多くのタイプの情報デバイス、特に、エンコード化が情報デバイスから離れたところで行われるものとともに用いられ得る。例えば、情報デバイス２０が携帯電話である場合、この目的のために、バーコードのイメージを送信するために、現行のＭｕｌｔｉｍｅｄｉａ  Ｍｅｓｓａｇｅ  Ｓｅｒｖｉｃｅ（ＭＭＳ）プロトコルが利用され得る。
【００５１】
本明細書において、用語「音声／映像」は、音声および映像の両方の表現に限定されるのではなく、音声または映像のいずれか、あるいは、２つの何らかの組み合わせの表現を定義することが意図される。本発明の好適な実施形態において、「映像」表現は人間の眼にとって可視の表現である。映像表現は、イメージまたはグラフィック表現の形態であり得、二次元バーコードがアクセス識別子にとって充分な情報をエンコードし得るので、最も好適な映像表現は二次元バーコードである。しかし、適切である場合には、１次元バーコードが用いられてもよい。「映像」表現はまた、例えば、携帯電話または他の情報デバイスの画面上に、表示可能な表現であると考えられ得る。しかし、イメージまたはグラフィック表現が映像表現として用いられる場合、イメージまたはグラフィック表現は、可視範囲外、例えば、赤外線範囲の波長の光を用いることによって形成され得ることが理解される。
【００５２】
映像表現を表示する情報デバイス２０のディスプレイ２５は、放射型、反射型、または透過型ディスプレイデバイスであり得る。このようなディスプレイデバイス、例えば、液晶ディスプレイ（ＬＣＤ）デバイスは、当該技術において周知である。例えば、反射型ディスプレイデバイスついて、ディスプレイは、必要な映像表現を形成するように、制御することができる光反射特性を有し得、反射される光は、可視範囲内であってもよいし、可視範囲外であってもよい。当然、ＡＶ取り込み部４９は、適切な範囲の波長に応答するように適切に構成され得る。
【００５３】
多くの可能な映像表現が考えられ得る。以下に３つの例を説明するが、これらに限定されない。
【００５４】
第１に、上述したようにバーコードが用いられ得る。ＱＲコード（クイックレスポンスコード、日本においてｎｉｐｐｏｎｄｅｎｓｏ  ｃｏｍｐａｎｙによって開発されたもの、ＩＳＯ（国際標準化機構）標準番号１８００４参照のこと）などの二次元バーコードは、特に高い情報密度を可能にし、本発明の実施形態とともに用いられることが特に適切であり得るが、ほかに多くのタイプのバーコードがある。バーコードは、より小さいスペースに多くの情報を詰め込むためにカラーであってもよい（例として、二次元ヒューコードがあるが、ＵＳ５，３６９，２６１およびＵＳ５，１１８，３６９を参照されたい）。
【００５５】
第２に、映像表現のシーケンスが用いられ得、この場合、所定のスピードまたは可変スピードで映像ディスプレイが更新される。後者の場合、更新のスピードにおける変化は、さらなる情報をエンコードするためにも用いられ得る。例えば、情報デバイスは、（おそらくは、カラーおよび／または２Ｄの）バーコードのシーケンスを表示し得るか、または、デバイスは、（おそらくは全画面の）色のシーケンスを表示し得る。デバイスが色のシーケンスを表示する場合、シーケンスは、カメラまたはバーコードスキャナではなく、フォトダイオードのセットによって取り込まれ、デコードされ得、これにより、より簡略で費用効果の高い実現例が得られる。
【００５６】
最後に、識別子のテキスト表現は、情報デバイス２０において表示され得、カメラによって取り込まれ、光学式文字認識（ＯＣＲ）ソフトウェアを用いてデコードされ得る。カメラは、後に続くデコード化のために、バーコードであるか否かに関わらず、任意の形態のグラフィック表現を取り込むために用いられ得る。
【００５７】
ＡＶ取り込み部４９は、上述したようにスキャナであってもよいし、フォトダイオード、ＣＣＤ、またはＣＭＯＳカメラなどの任意の他のタイプの光センサであってもよい。フォトダイオードのセットが用いられ得る。例えば、原色に応答するために、３つのフォトダイオードが用いられ得る。情報デバイス２０の画面は、異なる値を表す、原色の異なる混合物のシーケンスで満たされ得る。スキャナに関しては、情報デバイス２０は標準または２Ｄバーコードスキャナの前に保持されてもよいし、情報デバイス２０は平台型スキャナの上部に配置されてもよい。
【００５８】
適切な「音声」表現は、人間の耳にとって可聴である必要はなく、例えば、超音波が用いられてもよい。アクセス識別子は、音声シーケンス、例えば、トーン、和音、パルス、またはクリックのシーケンスとしてエンコードされ得る。この場合、ＡＶ取り込み部４９は、マイクロフォンなどの音声センサを含み得る。
【００５９】
以前の開示でモバイルデバイス上での二次元バーコードの使用に関するものがいくつかある。ＷＯ００／０３３２８は、バーコードが人口統計学的情報（必要に応じて、割引クーポン）をエンコードするために用いられ、スーパーマーケットのレジにおいてスキャンされ得るシステムを開示する。また、ＵＳ２００３／０１１５１５２は、バーコードの形態の割引クーポンのモバイルデバイス上での表示を開示する。ＵＳ２００２／００６０２４６は、分類された情報をブラウズし、携帯電話上でバーコードとしてエンコードされ得る何か（例えば、航空券）を購入することに関する。米国特許出願２００１／００５１９１５は、ある実施形態において、ユーザを識別するバーコードがモバイルデバイスに表示され、品物またはサービスに対する支払いを認可するために、売り場でスキャンされるシステムを開示する。ＷＯ０２／１９１９８は、証明書をバーコードとして携帯電話に送信することに関する。ＵＳ２００２／０１３１０７１およびＵＳ２００３／００３０８４０において、ＵＲＬが（おそらくはＰＩＮ番号も）プリンタに送信され、バーコードとしてエンコードされる。プリンタは、バーコードをデコードし、ドキュメントをＵＲＬから取り出し、印刷する。ＥＰ−Ａ−１０５８１９６は、ＵＲＬ（ユニフォームリソースロケータ）を読み込み、表示する、ハンドヘルドデバイスに取り付けられたバーコードリーダを開示する。ＥＰ−Ａ−１０６５６０５は類似しているがモバイルデバイスを有さないものを開示している。これらの従来技術の中には、バーコードを情報デバイスに表示し、このバーコードをローカルデバイスにスキャンし、バーコードによってエンコードされるアクセス識別子に依存して、１つ以上のデータアイテムを遠隔サーバからローカルデバイスへと取り出すことに関するものはない。
【００６０】
ローカルデバイス４６は、プリンタ、コンピュータ、モニタ、プロジェクタ、またはダウンロードポイント、あるいは、任意の他のタイプの出力デバイスを含み得る。それぞれの場合において、音声／映像表現は、デコードされ、１つ以上のドキュメント（データアイテム）を取り出すために識別子を用い、何らかのサービスをその上で行う、取り出しサービスへと送られる。ローカルデバイス４６がプリンタを含む場合、サービスは、ドキュメントを印刷することであり得る。ローカルデバイス４６がモニタまたはプロジェクタを含む場合、サービスは、ドキュメントを表示することであり得る。ローカルデバイス４６がダウンロードポイントを含む場合、サービスは、ドキュメントを情報デバイスに転送することであり得る。いずれの場合も、サービスは、ドキュメントの名前のリストを表示することを含み得る。
【００６１】
ローカルデバイス４６は、接続部４８、取り出し部５２、ＡＶ取り込み部４９、およびＡＶデコード部５１が位置する単一エンティティであるかのように説明されてきたが、ローカルデバイス４６が、実際には、ローカルデバイス４６を形成するために（物理的接続またはワイヤレスリンクによって）互いに接続された別個のデバイスを含むことも可能である。例えば、ＡＶ取り込み部４９は、必要に応じて、ＡＶデコード部５１とともに、ローカルデバイス４６を形成するためにプリンタに接続された、一体型のスキャナデバイスの一部を形成し得る。この可能性を模式的に示したのが図５である。このシステムは、図３のシステムに対応しており、アクセス識別子が２Ｄバーコードとして表現され、情報デバイス２０が携帯電話として実現され、スキャナデバイスがバーコードリーダとして実現されている。
【００６２】
アクセス識別子はいくつかのデータアイテムに関連し得るが、１つのデータアイテムのみに関連する、上記のＳａｔｃｈｅｌシステムにおいて記載されたようなドキュメントトークンであってもよい。
【００６３】
図６は、本発明の第２の実施形態による、遠隔取り出しシステムを示すブロック図である。第２の実施形態の遠隔取り出しシステムは、上記の第１の実施形態に基づき、第２の実施形態の部材のうち、第１の実施形態の部材と同じ参照符号が付けられたものは、同じ様態または相当する様態で動作する。第１の実施形態と第２の実施形態との間の主な違いを以下に説明する。第２の実施形態は、本発明者らによる同時係属出願中の英国特許出願第０３１４４１０．２号において記載される主な実施形態と密接に関連しており、この出願は、その全文を通じて、本明細書中で参考として援用され、添付の請求項のうちの１つ以上の基礎をなす。
【００６４】
本発明の第２の実施形態による、遠隔取り出しシステムは、第１の実施形態について説明した部品に加えて、以下の部品を含む。上記の情報デバイス２０、遠隔サーバ２８、およびローカルデバイス４６の他に、この実施形態による遠隔取り出しシステムは、保持サーバ４０を含む。保持サーバ４０は、データアイテム保持格納部４４を有する保持領域４２を含む。遠隔サーバ２８は、上記のデータアイテム保持格納部３２、アクセス識別子部３４、および接続部３５が位置する保護領域３０を含む。さらに、遠隔サーバ２８は、セキュリティ部３６および転送部３８を含む。ローカルデバイス４６は選択部５０をさらに含む。
【００６５】
この実施形態において、情報デバイス２０の接続部２２が遠隔サーバ２８への接続を開始しようと試みる場合、遠隔サーバ２８のセキュリティ部３６は、まず、情報デバイス２０が本物であり、信頼できるかを検証する。認証された場合、信頼できる接続が、情報デバイス２０と遠隔サーバ２８の保護領域３０との間に形成される。第１の実施形態と同様に、その後、情報デバイス２０のユーザが、情報デバイス２０および信頼できる接続を利用して、遠隔サーバ２８の保護領域３０内のデータアイテム保持格納部３２に格納されている１つ以上のデータアイテムの第１のグループを選択する。この選択プロセスは、情報デバイス２０の選択部２４によって制御される。
【００６６】
その後、情報デバイス２０のユーザは、第１のグループのデータアイテムを、保護領域３０から、遠隔サーバ２８の保護領域３０の外側にある保持領域４２内のデータアイテム保持格納部４４に転送するように、遠隔サーバ２８にリクエストを送信する。このリクエストは、遠隔サーバ２８の転送部３８によって処理される。保持領域４２の位置は位置識別子によって表され、第１のグループのデータアイテムはグループ識別子によって表される。位置およびグループ識別子を含む単一アクセス識別子は、遠隔サーバ２８のアクセス識別子部３４によって生成され、情報デバイス２０に伝えられる。アクセス識別子は、データアイテムが、ローカルデバイスによって保持領域４２から取り出されることを可能にする。その後、アクセス識別子は、第１の実施形態に関連して説明した様態で、音声／映像表現としてエンコードされ、ローカルデバイス４６に転送される。
【００６７】
ローカルデバイス４６の接続部４８によって、保持領域４２とローカルデバイス４６との間に取り出し接続が形成され、１つ以上のデータアイテムの第２のグループが、保持領域において保持されているデータアイテムの第１のグループから選択され得る。これは、ユーザが選択し得る利用可能なドキュメントのリストを、ローカルデバイスにおいて、ユーザに提示することによって達成され、これは、ローカルデバイス４６の選択部５０によって制御される。第２のグループのデータアイテムを決定した後、これらのデータアイテムは、ローカルデバイス４６の取り出し部５２の制御の下で、保持領域４２からローカルデバイス４６に取り出し接続を介して転送される。
【００６８】
本発明のこの実施形態は、遠隔サーバ２８の保護領域３０（例えば、企業のローカルエリアネットワーク（ＬＡＮ））のためのセキュリティ構成を損なうことなく、ローカルデバイス４６（例えば、周辺機器）が取り出し接続（例えば、インターネット）を介してデータアイテム（例えば、企業のドキュメントおよび電子メール）への限定された一時的なアクセスを有するように、情報デバイス２０（例えば、モバイルデバイス）が調整を行うことを可能にする。ローカル周辺機器は、モバイルネットワークを介してドキュメントを転送することによるコストおよびスピード面での不利な点なしに、ユーザのオフィスの安全、かつ一時的な拡張部として機能し得る。本発明のある実施形態は、現行の生成モバイルデバイス上で動作する。ローカルデバイスは、移動する労働者が企業のドキュメントおよび電子メールを印刷することを可能にするプリンタであってもよい。
【００６９】
本発明の第２の実施形態は、モバイルデバイス（情報デバイス）のユーザがパブリックデバイス（ローカルデバイス）に、保護されたネットワーク上に安全に格納されているドキュメントを出力することを可能にする。ユーザは、プライベート、かつ保護されたスペース、例えば、企業のＬＡＮへの安全な接続を有する。このプライベートスペースは、何らかのメカニズムによって、介入から保護されている。メカニズムは、ファイヤーウォールであってもよい。この場合、アクセスは、通常、バーチャルプライベートネットワークを介して達成される。しかし、データセンターにおけるパスワード保護領域であってもよい。保持領域４２は、ウェブサーバなどの公開スペースにあってもよい。任意のインターネット器具がそこに接続することができ、適切な認証があれば、そこから情報を取り出すことができる。上記の実施形態において、情報は、保護領域３０から保持領域４２へと外部に押し出されるが、保持領域４２から保護領域３０へのアクセスはない。これは、保護領域３０のセキュリティを大幅に高める。
【００７０】
図７は、本発明の第３の実施形態による遠隔転送システムを示すブロック図である。第３の実施形態は第２の実施形態と非常に類似しており、詳細な説明は省かれる。第２の実施形態と第３の実施形態との主な違いは、接続部２２および選択部２４が、（第１の）情報デバイスとは別個の第２の情報デバイス６０に位置することである。したがって、信頼できる接続は、第２の情報デバイス６０と遠隔サーバ２８との間に設けられ、データアイテム保持格納部３２に格納されているデータアイテムは、さらなる情報デバイス６０から選択される。続いて、第２の実施形態と同じステップが行われ、アクセス識別子はローカルデバイス４６への提示のために第１の情報デバイス２０に送信される。
【００７１】
第３の実施形態では、第２の情報デバイスを用いてデータアイテムを選択するユーザは、第１の情報モバイルデバイスのユーザとは異なる人であり得る。例えば、個人Ａ（オフィス内にいる）が個人Ｂ（オフィスの外にいる）のために印刷するドキュメントを選択し、ドキュメント用のアクセス識別子を含むマルチメディアメッセージサービス（ＭＭＳ）メッセージがＢの携帯電話に送信される。
【００７２】
第１の実施形態から第３の実施形態のいずれかの有用な特徴は、ユーザが、データアイテム（例えば、ドキュメント）が実際に選択された後のある時点で、ローカルデバイス４６（例えば、プリンタ）において音声／映像バーコード表現をスキャンし得ることである。したがって、ユーザは、電車または自宅オフィスにいる間にドキュメントを選択し、その後、後に移動中に印刷し得る。第１の実施形態、特に図４を参照すると、これは、ステップＳ５および／またはステップＳ６が、時間的に何らかの様態でステップＳ４から分けられ得ることを意味する。
【００７３】
さらに、アクセス識別子の生成およびエンコード（ステップＳ３およびＳ４）は、ドキュメント選択（図４のステップＳ２）の後のある時点で行われてもよい。一例として、ユーザが一度にドキュメントを選択し、その後、遠隔サーバを切断する例がある。後に、そのユーザ（または別のユーザ）が、サーバに接続し、以前に選択したドキュメントのバーコードをリクエストし、その後、バーコードが、いつでも簡便なときに用いられるように、リクエストしているユーザに送信される。
【００７４】
第１の実施形態から第３の実施形態の特徴の様々な組み合わせが当業者にとって明らかである。例えば、第３の実施形態の第２の情報デバイス６０は、第２の実施形態において導入される保持サーバ４０との組み合わせで用いられる必要はなく、第１の実施形態のように、そのようなセキュリティメカニズムなしに用いられてもよい。また、第３の実施形態において、第１の情報デバイス２０は、第２の情報デバイス６０の代わりではなく、それに加えて、第２の実施形態の安全な接続およびデータアイテム選択能力が提供されてもよい。第１の実施形態は、ローカルデバイス４６において、第２および第３の実施形態と同様に、データアイテム選択能力を含んでもよい。様々な他の組み合わせが容易に理解され得る。
【００７５】
情報デバイス２０は、個人用情報端末（ＰＤＡ）、ラップトップ、他の企業内のデスクトップコンピュータまたはウェブイネーブルＴＶなどの任意の適切なデバイスであってもよい。ローカルデバイスは、インターネットイネーブルコピー機、独立型モニタまたはインターネットカフェのコンピュータなどの任意の公開またはインターネット器具でありえる。ローカルデバイスは、オフィスにあってもよいし（例えば、コピー機、または他の人のコンピュータ）、他の人のプライベートデバイス（例えば、コンピュータ、他のモバイルデバイス、インターネットイネーブルＴＶ、ホームサーバまたはゲートウェイ）であってもよい。
【００７６】
上記の第１の実施形態は、データアイテムがローカルデバイス４６から遠隔サーバ２８へと逆方向に転送されることを可能にするように、簡単な様態で変更され得る。これは、特に、電子データアイテムを生成するスキャナまたはコピー機などの入力デバイスをローカルデバイス４６が含む場合に、適切である。この反対の状態において、情報デバイス２０は、１つ以上のデータアイテムをローカルデバイス４６から遠隔サーバ２８のデータアイテム保持格納部３２へと転送するために利用され、このコンテキストにおけるアクセス識別子は、１つ以上のデータアイテムのあて先の位置を表す。第１の実施形態と同様に、アクセス識別子の音声／映像表現は、情報デバイス２０において提示され得、音声／映像表現はローカルデバイス４６において取り込まれ得、１つ以上のデータアイテムのあて先位置は、取り込まれた音声／映像表現から決定され得る。その後、１つ以上のデータアイテムは、遠隔サーバ２８の決定された位置に転送され得る。第２の実施形態および第３の実施形態への同様の変更、ならびに、第１の実施形態から第３の実施形態のそれぞれの変形例は、データアイテムの逆方向の転送を達成するために、当業者にとって明らかである。
【００７７】
上記の方法の様々な局面の動作は、情報デバイス、遠隔サーバ、保持サーバおよびローカルデバイス上の、それぞれの部分においてローカルに、または、その間で配信されるオペレーティングプログラムによって制御され得る。このようなオペレーティングプログラム（単数または複数）は、コンピュータ読み出し可能媒体に格納されてもよいし、例えば、インターネットウェブサイトから提供されるダウンロード可能なデータ信号などの信号として実現されてもよい。添付の特許請求の範囲は、オペレーティングプログラムを、それ自体で、あるいは、キャリア上の記録、もしくは信号として、または、任意の他の形態で範囲に含むと解釈されるべきである。
【００７８】
本発明の実施形態は、遠隔アクセス状態、セキュリティ、公開器具、自動購入および印圧などの多くの領域において適用され得る。
【図面の簡単な説明】
【００７９】
【図１】図１は、従来技術による遠隔アクセスシステムを示すブロック図である。
【図２】図２は、他の従来技術による遠隔アクセスシステムを示すブロック図である。
【図３】図３は、本発明の第１の実施形態による遠隔取り出しシステムを示すブロック図である。
【図４】図４は、図３の遠隔取り出しシステムの動作を説明するために用いられるフローチャートである。
【図５】図５は、本発明の第１の局面のある可能な実現例を表す模式図である。
【図６】図６は、本発明の第２の実施形態による遠隔取り出しシステムを示すブロック図である。
【図７】図７は、本発明の第３の実施形態による遠隔取り出しシステムを示すブロック図である。
【符号の説明】
【００８０】
２０  情報デバイス
２２  接続部
２３  アクセス識別子エンコード部
２４  選択部
２５  音声／映像提示部
２８  遠隔サーバ
３２  データアイテム保持格納部
３４  アクセス識別子部
３５  接続部
４６  ローカルデバイス
４８  接続部
４９  ＡＶ取り込み部
５１  ＡＶデコード部
５２  取り出し部
【図１】
0004743584.tif 000002
【図２】
0004743584.tif 000003
【図３】
0004743584.tif 000004
【図４】
0004743584.tif 000005
【図６】
0004743584.tif 000006
【図７】
0004743584.tif 000007
【図５】
0004743584.tif 000008